(57)【要約】    【課題】動物遺体を省力的且つ経済的に処理できる動物遺体処理装置を、提供すること。    【解決手段】肉食性の双翅目昆虫の幼虫７２に動物遺体７１を食餌として処理させることによって動物遺体を処理するための装置１０であって、開閉可能な投入口１１を有する箱体１と、箱体１内に上から順に配置された、遺体載置棚２、幼虫支持棚３、幼虫回収棚４、及び遺体残渣回収棚５と、を備えており、遺体載置棚２は、投入された動物遺体７１が載せられるようになっており、幼虫支持棚３は、遺体載置棚２に載せられた幼虫７２を下方から支持するようになっており、幼虫回収棚４は、幼虫支持棚３が下方に開くことによって落下して来た幼虫７２を、受けるようになっており、箱体１の外へ引き出し可能に設けられており、遺体残渣回収棚５は、遺体載置棚２が開くことによって落下して来た遺体残渣を、受けるようになっており、箱体１の外へ引き出し可能に設けられている。【選択図】図６
2019162598.tif 000002
【特許請求の範囲】
【請求項１】
肉食性の双翅目昆虫の幼虫に動物遺体を食餌として処理させることによって動物遺体を処理するための装置であって、
開閉可能な投入口を有する箱体と、
前記箱体内に上から順に配置された、遺体載置棚、幼虫支持棚、幼虫回収棚、及び遺体残渣回収棚と、
を備えており、
前記遺体載置棚は、投入された動物遺体が載せられるようになっており、前記幼虫が通過可能な大きさの網目を有する、網棚であり、
前記幼虫支持棚は、前記遺体載置棚に載せられた前記幼虫を下方から支持するようになっており、
前記遺体載置棚及び前記幼虫支持棚は、それぞれ、下方に向けて開閉可能に設けられており、
前記幼虫回収棚は、前記幼虫支持棚が開くことによって落下して来た前記幼虫を、受けるようになっており、前記箱体の外へ引き出し可能に設けられており、
前記遺体残渣回収棚は、前記幼虫支持棚が開いており且つ前記幼虫回収棚が引き出された状態で前記遺体載置棚が開くことによって落下して来た遺体残渣を、受けるようになっており、前記箱体の外へ引き出し可能に設けられている、
ことを特徴とする動物遺体処理装置。
【請求項２】
遺体載置棚及び／又は幼虫支持棚は、幅方向中央で２分割されており、支持棒で下方から支持された状態では、棚としての形態を維持し、支持棒を抜き去ると、下方に向けて観音開きに開くようになっている、
請求項１記載の動物遺体処理装置。
【請求項３】
肉食性の双翅目昆虫の幼虫に動物遺体を食餌として処理させることによって動物遺体を処理するための方法であって、
遺体載置棚上に載せた動物遺体を、前記遺体載置棚上に載せた肉食性の双翅目昆虫の幼虫に食餌として処理させる、食処理工程と、
前記遺体載置棚上の前記幼虫のみを落下させて幼虫回収棚で受けて取り出す、幼虫回収工程と、
前記遺体載置棚上に残った遺体残渣を落下させて遺体残渣回収棚で受けて取り出す、遺体残渣回収工程と、
を有する、
ことを特徴とする動物遺体処理方法。
【発明の詳細な説明】
【技術分野】
【０００１】
本発明は、肉食性の双翅目昆虫の幼虫に動物遺体を食餌として処理させることによって動物遺体を処理するための、装置及び方法に関する。肉食性の双翅目昆虫とは、例えば、アメリカミズアブ、コウカアブ、イエバエ等である。
【背景技術】
【０００２】
特許文献１には、肉食性の双翅目昆虫の幼虫を利用して家畜の排泄物から有機肥料を製造する装置が、示されている。また、特許文献２には、肉食性の双翅目昆虫の幼虫を利用して有機廃棄物を処理する装置が、示されている。
【０００３】
一方、動物遺体は、焼却したり私有地の土中へ埋葬したりすることによって、処理していた。
【先行技術文献】
【特許文献】
【０００４】
【特許文献１】特許第５９１３０４４号公報
【特許文献２】特開２００４−１８１３７９号公報
【発明の概要】
【発明が解決しようとする課題】
【０００５】
特許文献１の装置は、ペースト状態の排泄物を処理しており、特許文献２の装置は、破砕された生ゴミ等を処理しており、いずれの装置も、動物遺体そのものの完全体を処理してはいない。また、処理後の残渣からの幼虫の分離は、蛹になるための自立的這い出し習性を利用しているので、比較的長時間を要していた。例えば、イエバエでは４〜５日、アメリカミズアブでは２〜３週間を、要していた。
【０００６】
また、動物遺体の焼却処理は、燃料を必要とするので、高コストであった。また、動物遺体の埋葬処理は、穴掘削作業及び埋設作業を必要とするので、作業性が悪かった。
【０００７】
本発明は、動物遺体を省力的且つ経済的に処理することができ、更には、処理後の残渣から幼虫を簡単に分離できる、動物遺体処理装置及び動物遺体処理方法を、提供することを目的としている。
【課題を解決するための手段】
【０００８】
本発明の動物遺体処理装置は、肉食性の双翅目昆虫の幼虫に動物遺体を食餌として処理させることによって動物遺体を処理するための装置であって、
開閉可能な投入口を有する箱体と、
前記箱体内に上から順に配置された、遺体載置棚、幼虫支持棚、幼虫回収棚、及び遺体残渣回収棚と、
を備えており、
前記遺体載置棚は、投入された動物遺体が載せられるようになっており、前記幼虫が通過可能な大きさの網目を有する、網棚であり、
前記幼虫支持棚は、前記遺体載置棚に載せられた前記幼虫を下方から支持するようになっており、
前記遺体載置棚及び前記幼虫支持棚は、それぞれ、下方に向けて開閉可能に設けられており、
前記幼虫回収棚は、前記幼虫支持棚が開くことによって落下して来た前記幼虫を、受けるようになっており、前記箱体の外へ引き出し可能に設けられており、
前記遺体残渣回収棚は、前記幼虫支持棚が開いており且つ前記幼虫回収棚が引き出された状態で前記遺体載置棚が開くことによって落下して来た遺体残渣を、受けるようになっており、前記箱体の外へ引き出し可能に設けられている、
ことを特徴としている。
【０００９】
本発明の動物遺体処理方法は、肉食性の双翅目昆虫の幼虫に動物遺体を食餌として処理させることによって動物遺体を処理するための方法であって、
遺体載置棚上に載せた動物遺体を、前記遺体載置棚上に載せた肉食性の双翅目昆虫の幼虫に食餌として処理させる、食処理工程と、
前記遺体載置棚上の前記幼虫のみを落下させて幼虫回収棚で受けて取り出す、幼虫回収工程と、
前記遺体載置棚上に残った遺体残渣を落下させて遺体残渣回収棚で受けて取り出す、遺体残渣回収工程と、
を有する、
ことを特徴としている。
【発明の効果】
【００１０】
本発明の動物遺体処理装置によれば、次のような効果を発揮できる。
（ａ）完全体である動物遺体そのものを幼虫によって処理できるので、焼却処理のための燃料や、埋葬処理のための穴掘削作業及び埋設作業を、不要にできる。したがって、動物遺体を省力的且つ経済的に処理することができる。
【００１１】
（ｂ）幼虫支持棚を下方に開いて幼虫を落下させるだけで、動物遺体の残渣から幼虫を分離できるので、残渣からの幼虫の分離を簡単に行うことができる。
【００１２】
（ｃ）分離された幼虫を受けた幼虫回収棚を、箱体から引き出すことによって、幼虫を簡単に回収できるので、回収した幼虫を、他の用途に、簡単に供することができる。
【００１３】
（ｄ）遺体載置棚を下方に開いて動物遺体の残渣を落下させ、遺体残渣回収棚を箱体から引き出すことによって、残渣を回収できるので、残渣を簡単に回収して廃棄できる。
【００１４】
本発明の動物遺体処理方法によれば、次のような効果を発揮できる。
（ｉ）完全体である動物遺体そのものを幼虫によって処理できるので、焼却処理のための燃料や、埋葬処理のための穴掘削作業及び埋設作業を、不要にできる。したがって、動物遺体を省力的且つ経済的に処理することができる。
（ii）幼虫回収工程によれば、幼虫のみを簡単に回収できる。
（iii）遺体残渣回収工程によれば、動物遺体の残渣を簡単に回収できる。
【図面の簡単な説明】
【００１５】
【図１】本発明の一実施形態の動物遺体処理装置の斜視図である。
【図２】図１の装置の斜視透視図である。
【図３】遺体載置棚の平面図である。
【図４】遺体載置棚の正面図である。
【図５】遺体載置棚が開いた状態を示す正面図である。
【図６】本実施形態の装置の作動を示す正面透視図である。
【図７】図６に続く作動を示す正面透視図である。
【図８】図７に続く作動を示す正面透視図である。
【図９】遺体載置棚又は幼虫支持棚の別の例を示す正面透視図である。
【発明を実施するための形態】
【００１６】
図１は、本発明の一実施形態の動物遺体処理装置の斜視図である。図２は、図１の装置の正面透視図である。この装置１０は、肉食性の双翅目昆虫の幼虫に動物遺体を食餌として処理させることによって動物遺体を処理するための装置である。肉食性の双翅目昆虫としては、例えば、アメリカミズアブ、コウカアブ、イエバエ等を、採用できる。
【００１７】
装置１０は、開閉可能な投入口１１を有する箱体１と、箱体１内に上から順に配置された、遺体載置棚２、幼虫支持棚３、幼虫回収棚４、及び遺体残渣回収棚５と、を備えている。遺体載置棚２及び幼虫支持棚３は、箱体１内の上下方向の略中間に、上下に重なるように配置されている。幼虫回収棚４及び遺体残渣回収棚５は、箱体１内の底部に、上下に重なるように配置されており、扉１２を開くことによって、それぞれ、箱体１の外へ引き出し可能に設けられている。
【００１８】
更に、装置１０には、幼虫回収棚４より上方且つ幼虫支持棚３より下方の位置に、網目で塞がれた通気口６１が、形成されており、遺体載置棚２より上方の位置に、排気口（図示せず）に連結された脱臭装置６２が、設けられている。これにより、箱体１内では、下方から上方へ至る通気が行われるようになっている。
【００１９】
遺体載置棚２は、投入された動物遺体が載せられるようになっている。遺体載置棚２は、具体的には、平面図である図３に示されるように、幼虫が通過可能な大きさの網目２１を有する、網棚である。そして、遺体載置棚２は、幅方向Ｗの中央で棚部２Ａと棚部２Ｂとに２分割されており、図４に示されるように、支持棒２２で下方から支持された状態では、棚としての形態を維持しているが、図５に示されるように、支持棒２２を抜き去ると、下方に向けて観音開きのように開くようになっている。すなわち、遺体載置棚２は、下方に向けて開閉可能となっている。遺体載置棚２は、例えば、幅方向Ｗの両縁において箱体１の内壁に回動自在にヒンジ支持されることによって、開閉可能となっている。
【００２０】
幼虫支持棚３は、遺体載置棚２に載せられた幼虫を下方から支持するようになっており、遺体載置棚２に近接して配置されている。幼虫支持棚３も、網棚であるが、網目は、幼虫が通過不可能な大きさに設定されている。幼虫支持棚３も、図３〜図５に示される遺体載置棚２と同様の構成を有しており、幅方向Ｗの中央で２分割されており、支持棒３２で下方から支持された状態では、棚としての形態を維持しているが、支持棒３２を抜き去ると、下方に向けて観音開きのように開くようになっている。すなわち、幼虫支持棚３は、下方に向けて開閉可能となっている。
【００２１】
幼虫回収棚４は、幼虫支持棚３が開くことによって落下して来た幼虫を、受けるようになっている。幼虫回収棚４は、具体的には、トレー様容器である。幼虫回収棚４には、乾燥したコーヒー粕又はふすま等が敷設されているのが好ましく、それによれば、幼虫が幼虫回収棚４から脱出するのを防止できる。
【００２２】
遺体残渣回収棚５は、幼虫支持棚３が開いており且つ幼虫回収棚４が引き出された状態で遺体載置棚２が開くことによって落下して来た遺体残渣を、受けるようになっている。遺体残渣回収棚５は、具体的には、トレー様容器であるが、骨壺又は袋等でもよい。
【００２３】
次に、上記構成の装置１０の作動について、説明する。
【００２４】
（食処理工程）
まず、図６に示されるように、処理したい動物遺体７１を、投入口１１から箱体１内に投入して遺体載置棚２上に載せるとともに、幼虫７２も、投入口１１から箱体１内に投入して遺体載置棚２上に載せる。遺体載置棚２上に載った幼虫７２は、網目２１を通過しようとするが、幼虫支持棚３が幼虫を下方から支持しているので、遺体載置棚２上に残る。そして、下方から上方への通気を作動させながら、例えば一晩放置する。これにより、幼虫７２が動物遺体７１を食餌として処理し、遺体載置棚２上には、動物遺体７１の残渣７１１（図７）と幼虫７２とが載った状態となる。
【００２５】
（幼虫回収工程）
次に、図７に示されるように、幼虫支持棚３の支持棒３２を引き抜く。これにより、幼虫支持棚３が下方に向けて開くので、遺体載置棚２上の幼虫７２が、遺体載置棚２から落下して、幼虫回収棚４によって受けられるとともに、遺体載置棚２上には、動物遺体７１の残渣７１１が残る。すなわち、動物遺体７１の残渣７１１から幼虫７２が分離される。そして、幼虫回収棚４に受けられた幼虫７２は、扉１２を開いて幼虫回収棚４を箱体１から引き出すことによって、回収される。
【００２６】
（遺体残渣回収工程）
次に、図８に示されるように、遺体載置棚２の支持棒２２を引き抜く。これにより、遺体載置棚２が下方に向けて開くので、遺体載置棚２上の残渣７１１が遺体載置棚２から落下して、遺体残渣回収棚５によって受けられる。そして、遺体残渣回収棚５に受けられた残渣７１１は、扉１２を開いて遺体残渣回収棚５を箱体１から引き出すことによって、回収される。
【００２７】
以上のようにして、動物遺体７１の処理と、幼虫７２及び残渣７１１の回収と、が行われる。
【００２８】
上記構成の装置１０によれば、次のような効果を発揮できる。
【００２９】
（１）完全体である動物遺体７１そのものを幼虫７２によって処理できるので、焼却処理のための燃料や、埋葬処理のための穴掘削作業及び埋設作業を、不要にできる。したがって、動物遺体を省力的且つ経済的に処理することができる。
【００３０】
例えば、２０ｇのネズミの遺体を、１０ｇ（すなわち２００頭）のアメリカミズアブによって、２４時間で、処理できた。このときの箱体１内の温度は２５℃であった。なお、箱体１内の温度が２３〜３４℃であれば、幼虫の活動を維持できた。
【００３１】
処理できる動物遺体としては、ウシ、ウマ、ヤギ、ヒツジ、ブタ、クマ、シカ、イノシシ、アライグマ、ヌートリア、イヌ、ネコ、ネズミ等の哺乳類；アヒル、カモ、ニワトリ、カラス、ハト、スズメ等の鳥類；ワニ、イグアナ、ヘビ等の爬虫類；タコ、イカ、サカナ、カニ、エビ等の魚介類；等を、挙げることができる。
【００３２】
（２）幼虫支持棚３の支持棒３２を引き抜くだけで、動物遺体７１の残渣７１１から幼虫７２を分離できるので、残渣７１１からの幼虫７２の分離を簡単に行うことができる。
【００３３】
（３）分離された幼虫７２を受けた幼虫回収棚４を、箱体１から引き出すことによって、幼虫７２を簡単に回収できるので、回収した幼虫７２を、魚、豚、家禽、観賞用動物等の飼料として、簡単に供することができる。
【００３４】
（４）遺体載置棚２の支持棒２２を引き抜き、残渣７１１を落下させ、遺体残渣回収棚５を箱体１から引き出すことによって、残渣７１１を回収できるので、残渣７１１を簡単に回収して廃棄できる。
【００３５】
（５）投入口１１から幼虫７２を容易に追加できるので、動物遺体７１の処理時間を容易に短縮できる。
【００３６】
［変形例］
（ａ）支持棒２２、３２は、１本に限らず、並設された複数本でもよい。
【００３７】
（ｂ）遺体載置棚２及び幼虫支持棚３は、例えば、図８に示される形態を有してもよい。図９では、遺体載置棚２（又は幼虫支持棚３）は、１枚の網棚であり、幅方向Ｗの一辺２０１にて回動自在にヒンジ支持されており且つ幅方向Ｗの他辺２０２にて係止部材２６で係止されており、係止部材２６の係止を解くと、幅方向Ｗの一辺２０１を支点として下方に回動するようになっている。
【産業上の利用可能性】
【００３８】
本発明は、動物遺体を省力的且つ経済的に処理することができるので、産業上の利用価値が大である。
【符号の説明】
【００３９】
１  箱体  ２  遺体載置棚  ２１  網目  ２２  支持棒  ３  幼虫支持棚
３２  支持棒  ４  幼虫回収棚  ５  遺体残渣回収棚
【図１】
2019162598.tif 000003
【図２】
2019162598.tif 000004
【図３】
2019162598.tif 000005
【図４】
2019162598.tif 000006
【図５】
2019162598.tif 000007
【図６】
2019162598.tif 000008
【図７】
2019162598.tif 000009
【図８】
2019162598.tif 000010
【図９】
2019162598.tif 000011